(57)【要約】【課題】光ディスクに記録されたデータをより高い再生品位のもとに読み出すことのできる光ディスクドライブ装置を提供する。【解決手段】光ディスクの記録データには一定間隔毎に識別コードであるシンクコードが付与されている。この装置では、光ピックアップ１０を介して読み出された情報に基づき生成されるＲＦ信号からこのシンクコードに対応する部分を振幅検出回路３０にて抽出し、該抽出したシンクコードの振幅値に基づいてＤＳＰ４０にて当該記録データのその都度の変調度を算出する。そして、ＲＦ信号の振幅が所定の範囲に収まるように、この算出した変調度に基づきイコライザー５０にてこれを実時間補正する。この実時間補正されたＲＦ信号が復調器６０を通じて復調される。【選択図】      図１
2005093014.tif 000002
【特許請求の範囲】
【請求項１】
一定間隔毎に識別コードが付与されて光ディスクに記録されたデータを光ピックアップを介して再生する光ディスクドライブ装置において、
前記光ピックアップを介して読み出された情報に基づき生成されるＲＦ信号の前記識別コードに対応する部分を抽出し、該抽出した識別コードの振幅値に基づいて当該記録データのその都度の変調度を算出するとともに、この算出した変調度に基づき前記ＲＦ信号の振幅が所定の範囲に収まるようにこれを実時間補正する前処理手段を備え、該前処理手段によって実時間補正されたＲＦ信号を復調して前記記録されたデータを再生する
ことを特徴とする光ディスクドライブ装置。
【請求項２】
前記前処理手段は、前記復調されたデータに基づいて前記ＲＦ信号の前記識別コードに対応する部分を抽出する閉ループ構造を有してなる
請求項１に記載の光ディスクドライブ装置。
【請求項３】
前記光ディスクがＤＶＤ規格の光ディスクであり、前記前処理手段は、前記復調された信号から前記識別コードとしての３２チャンネルビット長のシンクコードを検出するシンクコード検出回路と、この検出されたシンクコードから同コードに含まれる４チャンネルビット長（４Ｔ）部分及び１４チャンネルビット長（１４Ｔ）部分にそれぞれ対応する窓信号を生成する手段と、これら生成された各窓信号にて前記ＲＦ信号を抽出してそれぞれその振幅を検出する振幅検出回路と、これら検出された４Ｔ部分に対応するＲＦ信号の振幅値（４Ｔ振幅）と１４Ｔ部分に対応するＲＦ信号の振幅値（１４Ｔ振幅）との比に所定の補正値を乗算して前記その都度の変調度を算出し、該算出した変調度に基づいてゲイン調整指令を出力する手段と、この出力されるゲイン調整指令に基づいて前記ＲＦ信号の振幅を補正するイコライザーとを備えて構成される
請求項２に記載の光ディスクドライブ装置。
【請求項４】
前記変調度を算出するために４Ｔ振幅と１４Ｔ振幅との比「４Ｔ振幅／１４Ｔ振幅」に乗算する補正値が、前記ＤＶＤ規格において指標とする変調度「Ｉ３／Ｉ１４」に換算するための「１．０」未満の値である
請求項３に記載の光ディスクドライブ装置。
【請求項５】
前記イコライザーは、前記ＲＦ信号を順次伝搬する５タップのイコライザーからなって、そのうちの第１のタップ、第３のタップ、及び第５のタップに対してはタップ係数が変更可能に構成されてなるとともに、それらタップ係数の変更可能なタップからの信号の和を前記実時間補正されたＲＦ信号として出力するものであり、前記ゲイン調整指令は、前記タップ係数の変更可能な第１のタップ、第３のタップ、及び第５のタップに対するタップ係数の変更指令である
請求項３または４に記載の光ディスクドライブ装置。
【請求項６】
前記変調度を算出して前記ゲイン調整指令を出力する手段は、前記算出された変調度が所定の範囲を下回るとき、前記第１のタップ及び前記第５のタップに設定されているタップ係数をより大きいタップ係数に変更する旨の指令を出力し、前記算出された変調度が所定の範囲を上回るとき、前記第１のタップ及び前記第５のタップに設定されているタップ係数をより小さいタップ係数に変更する旨の指令を出力する
請求項５に記載の光ディスクドライブ装置。
【請求項７】
前記振幅検出回路は、前記生成された各窓信号にて抽出されるＲＦ信号をそれぞれピークホールド及びボトムホールドする回路を備えてなる
請求項３〜６のいずれか一項に記載の光ディスクドライブ装置。
【請求項８】
前記窓信号を生成する手段が、前記検出されたシンクコードに基づいてそのチャンネルビット長をカウントしつつ、前記４チャンネルビット長（４Ｔ）部分及び１４チャンネルビット長（１４Ｔ）部分にそれぞれ対応して能動となる窓信号を出力するタイミングカウンタからなる
請求項３〜７のいずれか一項に記載の光ディスクドライブ装置。
【発明の詳細な説明】
【技術分野】
【０００１】
本発明は、光ディスクの再生、あるいは記録再生を行う光ディスクドライブ装置に関するものである。
【背景技術】
【０００２】
現在、光ディスクとしてはＣＤ、ＣＤ−ＲＯＭ、ＣＤ−Ｒ／ＲＷ等のＣＤ系光ディスク、ＤＶＤ、ＤＶＤ−ＲＯＭ、ＤＶＤ−ＲＡＭ、ＤＶＤ−Ｒ／−ＲＷ、ＤＶＤ＋Ｒ／＋ＲＷ等のＤＶＤ系光ディスクがある。
【０００３】
このうち、再生専用の規格には、ＣＤ、ＣＤ−ＲＯＭ、ＤＶＤ、ＤＶＤ−ＲＯＭなどがある。また、記録を可能とする規格には、ＣＤ−Ｒ／ＲＷ、ＤＶＤ−ＲＡＭ、ＤＶＤ−Ｒ／−ＲＷ、ＤＶＤ＋Ｒ／＋ＲＷなどがある。さらに、これら記録を可能とする規格の中で、相変化を利用したオーバーライトの可能な規格としては、ＣＤ−ＲＷ、ＤＶＤ−ＲＡＭ、ＤＶＤ−ＲＷ、ＤＶＤ＋ＲＷなどがあり、一度しか記録のできない規格としては、ＣＤ−Ｒ、ＤＶＤ−Ｒ、ＤＶＤ＋Ｒなどがある。
【０００４】
ところで、これらの光ディスクは、複数のディスクメーカより、それぞれ規格値を満たすかたちで出荷されているものの、記録再生を行った場合の記録品位、再生品位は、それらメーカ毎に、あるいは生産ロット毎に微妙に異なるのが普通である。
【０００５】
そこで従来は、せめて記録品質についてはこれを一定に保つべく、
（イ）各ディスクメーカが光ディスクのリードインに予め記録しているパルスストラテジー情報を元に、光ディスクドライブにより記録時のストラテジーパルスを補正する方法。（ロ）ドライブメーカ側が、各ディスクメーカの光ディスクに対して最適のパルスストラテジーを探し出し、これを予めドライブメモリに記録しておくとともに、ディスク読み込み時にリードイン情報よりディスクメーカのＩＤを読み出し、それに基づきドライブメモリより該当するパルスストラテジーを検索して、記録時に使用する方法。
などが提案されている。
【発明の開示】
【発明が解決しようとする課題】
【０００６】
一般的には、上述のストラテジーパルスの補正や使用ディスクに応じた適正なパルスストラテジーを採用することで、光ディスクに対する記録品質もほぼ一定に維持されるようになる。ただし実情としては、メーカ毎に最適記録されたディスクであっても、指紋の付着や傷などがあると、その影響により、結果として強く書きすぎたり、あるいは弱く書きすぎたりするなどの現象が生じ、記録品質は必ずしも一定しない。そして、そのようなかたちで記録が行われたディスクは再生品質も一定しない。
【０００７】
また厳密には、温度により、記録時の最適レーザパワーは異なる。一般的には、ランニングＯＰＣ（最適記録パワー調整）という手法によって、最適レーザパワーを確保しようとしているが、レーザパワーを切り替える前後で、温度が変化しているようなことがあると、記録品質が一定に保てなくなることがある。そしてこの場合も、再生品質は悪化する。
【０００８】
さらにはまた、ディスクにそりが生じているような場合にも、再生品位は一定しない。通常、チルト調整、フォーカスオフセット調整などにより、ドライブ側で再生品位を保つ努力をしているものの、このようなそりの影響を完全に吸収することはできない。
【０００９】
その他、記録後の後天的な傷、指紋の付着、あるいはディスクの記録層（反射層）を形成する膜の経年変化等によっても再生品位は一定しない。
【００１０】
そして、このように再生品位にばらつきが生じる場合には、記録されたデータが正常に読み出されないなど、光ディスクを運用する上で、大きな不都合が生じることともなる。
【００１１】
この発明は、こうした実情に鑑みてなされたものであり、光ディスクに記録されたデータをより高い再生品位のもとに読み出すことのできる光ディスクドライブ装置を提供することを目的とする。
【課題を解決するための手段】
【００１２】
こうした目的を達成するため、請求項１に記載の発明は、一定間隔毎に識別コードが付与されて光ディスクに記録されたデータを光ピックアップを介して再生する光ディスクドライブ装置において、前記光ピックアップを介して読み出された情報に基づき生成されるＲＦ信号の前記識別コードに対応する部分を抽出し、該抽出した識別コードの振幅値に基づいて当該記録データのその都度の変調度を算出するとともに、この算出した変調度に基づき前記ＲＦ信号の振幅が所定の範囲に収まるようにこれを実時間補正する前処理手段を備え、該前処理手段によって実時間補正されたＲＦ信号を復調して前記記録されたデータを再生することをその要旨とする。
【００１３】
光ディスクドライブ装置としてのこのような構成によれば、上記識別コードに基づいてその都度の変調度が算出され、且つ、この算出された変調度に基づいてＲＦ信号の振幅が実時間補正される前処理が施される。このため、上記ＲＦ信号の振幅も自ずと安定化されることとなり、たとえ再生品位に影響を及ぼす前述した要因があろうとも、それら要因に影響されることのない安定したデータ再生が行われるようになる。
【００１４】
また、請求項２に記載の発明は、請求項１に記載の光ディスクドライブ装置において、前記前処理手段は、前記復調されたデータに基づいて前記ＲＦ信号の前記識別コードに対応する部分を抽出する閉ループ構造を有してなることをその要旨とする。
【００１５】
ＲＦ信号のうちの前記識別コードに対応する部分の抽出には各種方法が考えられるが、一旦復調されたデータに基づいて同部分の抽出を行う上記構成によれば、より確実にこの識別コードに対応する部分を抽出することが可能となり、ひいては上記変調度の算出に際しても、その算出精度の向上が図られるようになる。
【００１６】
また、請求項３に記載の発明は、請求項２に記載の光ディスクドライブ装置において、前記光ディスクがＤＶＤ規格の光ディスクであり、前記前処理手段は、前記復調された信号から前記識別コードとしての３２チャンネルビット長のシンクコードを検出するシンクコード検出回路と、この検出されたシンクコードから同コードに含まれる４チャンネルビット長（４Ｔ）部分及び１４チャンネルビット長（１４Ｔ）部分にそれぞれ対応する窓信号を生成する手段と、これら生成された各窓信号にて前記ＲＦ信号を抽出してそれぞれその振幅を検出する振幅検出回路と、これら検出された４Ｔ部分に対応するＲＦ信号の振幅値（４Ｔ振幅）と１４Ｔ部分に対応するＲＦ信号の振幅値（１４Ｔ振幅）との比に所定の補正値を乗算して前記その都度の変調度を算出し、該算出した変調度に基づいてゲイン調整指令を出力する手段と、この出力されるゲイン調整指令に基づいて前記ＲＦ信号の振幅を補正するイコライザーとを備えて構成されることをその要旨とする。
【００１７】
ＤＶＤ規格の光ディスクの場合、その識別コードとして、上記３２チャンネルビット長のシンクコードを利用することができる。そして、このシンクコードの中には、上述した４チャンネルビット長（４Ｔ）部分及び１４チャンネルビット長（１４Ｔ）部分が含まれ
ることから、ＲＦ信号のそれら部分に各々対応した振幅を検出して上記変調度の算出を行うようにすることで、常に同一条件のもとに、その都度の変調度が得られるようになる。このため、上記イコライザーを介して振幅補正されるＲＦ信号の安定性も保障され、少なくとも上記ＤＶＤ規格の光ディスクについては、その再生品位も好適に維持されるようになる。
【００１８】
また、請求項４に記載の発明は、請求項３に記載の光ディスクドライブ装置において、前記変調度を算出するために４Ｔ振幅と１４Ｔ振幅との比「４Ｔ振幅／１４Ｔ振幅」に乗算する補正値が、前記ＤＶＤ規格において指標とする変調度「Ｉ３／Ｉ１４」に換算するための「１．０」未満の値であることをその要旨とする。
【００１９】
ＤＶＤ規格の光ディスクにおいてはこのように、「Ｉ３／Ｉ１４」としてその望ましい変調度が定められている。すなわち、上記振幅比に換算すると「３Ｔ振幅／１４Ｔ振幅」といった値になる。そこで上記構成のように、「４Ｔ」を「３Ｔ」に換算する「１．０」未満の補正値を採用することで、ＤＶＤ規格の光ディスクとしてのより望ましい変調度を求めることができるようになり、ひいては上記イコライザーを介して振幅補正されるＲＦ信号としても、同ＤＶＤ規格の光ディスクから抽出されるＲＦ信号として、より望ましい形態の信号とすることができるようになる。
【００２０】
また、請求項５に記載の発明は、請求項３または４に記載の光ディスクドライブ装置において、前記イコライザーは、前記ＲＦ信号を順次伝搬する５タップのイコライザーからなって、そのうちの第１のタップ、第３のタップ、及び第５のタップに対してはタップ係数が変更可能に構成されてなるとともに、それらタップ係数の変更可能なタップからの信号の和を前記実時間補正されたＲＦ信号として出力するものであり、前記ゲイン調整指令は、前記タップ係数の変更可能な第１のタップ、第３のタップ、及び第５のタップに対するタップ係数の変更指令であることをその要旨とする。
【００２１】
さらに請求項６に記載の発明は、請求項５に記載の光ディスクドライブ装置において、前記変調度を算出して前記ゲイン調整指令を出力する手段は、前記算出された変調度が所定の範囲を下回るとき、前記第１のタップ及び前記第５のタップに設定されているタップ係数をより大きいタップ係数に変更する旨の指令を出力し、前記算出された変調度が所定の範囲を上回るとき、前記第１のタップ及び前記第５のタップに設定されているタップ係数をより小さいタップ係数に変更する旨の指令を出力することをその要旨とする。
【００２２】
特に、上記請求項５に記載の構成によれば、上記イコライザーとしての構成を簡素化することができるようになり、また上記請求項６に記載の構成によれば、同イコライザーによるＲＦ信号の振幅補正処理も極めて簡便に行うことができるようになる。
【００２３】
また、請求項７に記載の発明は、請求項３〜６のいずれか一項に記載の光ディスクドライブ装置において、前記振幅検出回路は、前記生成された各窓信号にて抽出されるＲＦ信号をそれぞれピークホールド及びボトムホールドする回路を備えてなることをその要旨とする。
【００２４】
上記振幅検出回路としてのこのような構成によれば、上述したＲＦ信号の振幅検出をより容易、且つ的確に行うことができるようになる。
【００２５】
また、請求項８に記載の発明は、請求項３〜７のいずれか一項に記載の光ディスクドライブ装置において、前記窓信号を生成する手段が、前記検出されたシンクコードに基づいてそのチャンネルビット長をカウントしつつ、前記４チャンネルビット長（４Ｔ）部分及び１４チャンネルビット長（１４Ｔ）部分にそれぞれ対応して能動となる窓信号を出力するタイミングカウンタからなることをその要旨とする。
【００２６】
上記窓信号を生成する手段として、このようなタイミングカウンタを用いることとすれば、上記４チャンネルビット長（４Ｔ）部分に対応する窓信号であれ、あるいは上記１４チャンネルビット長（１４Ｔ）部分に対応する窓信号であれ、その生成を容易に実現することができるようになる。
【発明の効果】
【００２７】
本発明によれば、識別コードに基づいてその都度の変調度が算出され、且つ、この算出された変調度に基づいてＲＦ信号の振幅が実時間補正される前処理が施される。このため、ＲＦ信号の振幅も自ずと安定化されることとなり、たとえ再生品質に影響を及ぼす要因があろうとも、それら要因に影響されることのない安定したデータ再生が行われるようになる。
【発明を実施するための最良の形態】
【００２８】
以下、この発明にかかる光ディスクドライブ装置の一実施の形態について、図面を参照して詳細に説明する。なお、本実施の形態では、一例としてＤＶＤ＋Ｒ規格の光ディスクに書き込まれたデータを再生する装置について説明する。
【００２９】
なお、ＤＶＤ系の光ディスクは、記録時において８／１６変調が施されており、原データ８ビットを変調テーブルで定められた１６ビットコードに変調する。基本的な変調規則は、コードビット「１」と「１」との間の「０」の連続数を「２」以上「１０」以下にすることである。ディスクにはその変調コード列のデータを「０」で反転させ、「１」で反転させないデータ変調、すなわちＮＲＺＩ（Ｎｏｎ−Ｒｅｔｕｒｎ  Ｔｏ  Ｚｅｒｏ  Ｉｎｖｅｒｓｅ）変換したチャンネルビットパルス列を記録する。１チャンネルビット幅をＴとすると、変調規則により記録チャンネルビットパルス列の最短パルス幅は３Ｔ、最長パルス幅は１１Ｔになる。また、光ディスクの再生時においては、８／１６変調の復調が施される。復調処理では、再生されたチャンネルビット列を逆ＮＲＺＩ変換して１６ビット単位の変調コードを得る。これを８／１６変調テーブルで逆変換して８ビットずつの原データに復調する。ただし、一部の変調コードは２つの原データバイトに復調可能で、このような変調コードはその末尾の「０」の数により識別できるようになっている。この場合には連続する次の変調コードの特定の２ヶ所のビットを参照して原データバイトを確定する。
【００３０】
はじめに、図１、図２を参照して、この実施の形態にかかる光ディスクドライブ装置の概略構成について説明する。
【００３１】
図１に示す光ディスクドライブ装置において、ピックアップ（光ピックアップ）１０は、レーザ光により光ディスクＯＤに記録されたデータを読み取り電気信号に変換する部分であり、その内部には、光源としてのレーザ発振器や複数のレンズ、ミラー、ビームスプリッタ等を備えた光学系、並びに受光素子を備えている。そして、光ディスクＯＤの記録層に形成されたピット列にレーザ光を照射するとともに、ピット列から反射されるレーザ光を上記受光素子で受光して電気信号に変換する。この変換された電気信号はＲＦアンプ２０に送られ、ここで適宜に増幅された後、ＲＦ信号（ＲＦ０）として、それぞれ振幅検出回路３０とイコライザー５０とに送られる。
【００３２】
振幅検出回路３０は、後述するタイミングカウンタ８０により生成される４Ｔ窓信号４ＴＷ、１４Ｔ窓信号１４ＴＷにて抽出されるＲＦ信号（ＲＦ０）をそれぞれピークホールド及びボトムホールドする回路である。すなわちこの振幅検出回路３０は、基本的には、４Ｔピークホールド回路３１、４Ｔボトムホールド回路３２、１４Ｔピークホールド回路３３、及び１４Ｔボトムホールド回路３４の４つの回路を備えている。
【００３３】
このうち、４Ｔピークホールド回路３１は、上記４Ｔ窓信号４ＴＷにて抽出されるＲＦ信号（ＲＦ０）をピークホールドする回路であり、該４Ｔ部分に対応するＲＦ信号（ＲＦ０）の振幅値（４Ｔ振幅）のピーク値を出力する。そして、このホールドされた４Ｔピーク値はＡ／Ｄ変換器３５によりデジタル信号に変換されて、ＤＳＰ（デジタルシグナルプロセッサ）４０に送られる。
【００３４】
また、４Ｔボトムホールド回路３２は、同じく４Ｔ窓信号４ＴＷにて抽出されるＲＦ信号（ＲＦ０）をボトムホールドする回路であり、該４Ｔ部分に対応するＲＦ信号（ＲＦ０）の振幅値（４Ｔ振幅）のボトム値を出力する。そして、このホールドされた４Ｔボトム値はＡ／Ｄ変換器３６によりデジタル信号に変換されて、ＤＳＰ４０に送られる。
【００３５】
また、１４Ｔピークホールド回路３３は、上記１４Ｔ窓信号１４ＴＷにて抽出されるＲＦ信号（ＲＦ０）をピークホールドする回路であり、該１４Ｔ部分に対応するＲＦ信号（ＲＦ０）の振幅値（１４Ｔ振幅）のピーク値を出力する。そして、このホールドされた１４Ｔピーク値はＡ／Ｄ変換器３７によりデジタル信号に変換されて、ＤＳＰ４０に送られる。
【００３６】
そして、１４Ｔボトムホールド回路３４は、同じく１４Ｔ窓信号１４ＴＷにて抽出されるＲＦ信号（ＲＦ０）をボトムホールドする回路であり、該１４Ｔ部分に対応するＲＦ信号（ＲＦ０）の振幅値（１４Ｔ振幅）のボトム値を出力する。そして、このホールドされた１４Ｔボトム値はＡ／Ｄ変換器３８によりデジタル信号に変換されて、ＤＳＰ４０に送られる。
【００３７】
これら１４Ｔピーク値、ボトム値、並びに１４Ｔピーク値、ボトム値が入力されるＤＳＰ４０は、それぞれ４Ｔ振幅及び、１４Ｔ振幅を計算するとともに、それら各振幅値に基づいて、当該記録データのその都度の変調度を計算する部分である。この計算に際してはまず、振幅検出回路３０にて検出（ホールド）された４Ｔピークホールド値と４Ｔボトムホールド値とから「（４Ｔピークホールド値）−（４Ｔボトムホールド値）」として４Ｔ振幅を計算する。次に、同じく１４Ｔピークホールド値と１４Ｔボトムホールド値とから「（１４Ｔピークホールド値）−（１４Ｔボトムホールド値）」として１４Ｔ振幅を計算する。そして、これら４Ｔ振幅と１４Ｔ振幅とから「変調度（Ｉ３／Ｉ１４）＝α×４Ｔ振幅／１４Ｔ振幅」として、変調度を計算する。ＤＶＤ規格の光ディスクにおいてはこのように、「Ｉ３／Ｉ１４」としてその望ましい変調度が定められている。すなわち、上記振幅比に換算すると「３Ｔ振幅／１４Ｔ振幅」といった値になる。そこでこの実施の形態では、上記計算式のように、「４Ｔ」を「３Ｔ」に換算する「１．０」未満の補正値αを採用することで、ＤＶＤ規格の光ディスクとしてのより望ましい変調度を求めるようにしている。
【００３８】
また、上記ＤＳＰ４０は、こうして計算した変調度をもとにイコライザー５０に対して、タップ係数変更信号ＴＣ（ゲイン調整指令）を出力する手段を備えている。基本的には、算出された変調度が所定の範囲を下回るとき、イコライザー５０に対し、そのタップ係数をより大きいタップ係数に変更する旨の指令を出力する。また、算出された変調度が所定の範囲を上回るときには、イコライザー５０に対し、そのタップ係数をより小さいタップ係数に変更する旨の指令を出力する。
【００３９】
イコライザー５０は、ＤＳＰ４０からこうして与えられるタップ係数変更信号ＴＣに基づいて、上記ＲＦアンプ２０から出力されるＲＦ信号（ＲＦ０）の振幅が所定の範囲に収まるようにこれを実時間補正する部分である。図２は、このイコライザー５０について、その内部構造の一例を示したものであり、次に、この図２を参照して、同イコライザー５０の構成、並びに機能を説明する。
【００４０】
図２に示すように、このイコライザー５０は、上記ＲＦアンプ２０から出力されるＲＦ信号（ＲＦ０）を順次伝搬するタップ５１〜５５を有する５タップのイコライザーからなっている。そのうちの第１のタップ５１、第３のタップ５３、及び第５のタップ５５に対しては、それぞれタップ係数変更用の乗算器Ｔａｐ１、Ｔａｐ２、Ｔａｐ３を通じてタップ係数が変更可能に構成されている。そして、上記タップ係数変更信号ＴＣに基づいてこれら乗算器Ｔａｐ１、Ｔａｐ２、Ｔａｐ３に設定されたタップ係数が乗算された第１、第３、及び第５のタップ５１、５３及び５５の値が加算器５９により加算され、その加算値が、実時間補正された最終的なＲＦ信号（ＲＦ）として復調器６０（図１）に出力される。
【００４１】
一方、図１に示す復調器６０は、こうして入力されるＲＦ信号（ＲＦ）に基づいて、光ディスクＯＤに記録されているデータに復調処理を施す周知の回路である。すなわちこの例の場合、復調器６０では、記録時に８／１６変調された１６ビットのデータを８／１６変調テーブルで逆変換して８ビットの原データに復調する処理を実施する。そして、この復調器６０にて８／１６復調されたデータの一方は、シンクコード検出回路７０に出力され、他方はデコーダ９０に出力される。
【００４２】
図１に示すシンクコード検出回路７０は、こうして復調器６０にて復調されたデータに基づき、記録データに付与されているシンクコードを検出する回路である。ちなみに、上記ＤＶＤ規格の光ディスクＯＤでは、記録セクタ（２９７６Ｔ×１３行）の１４５６Ｔ毎に３２Ｔからなるシンクコードが挿入された２６シンクフレームの物理セクタを有して構成されている。
【００４３】
ここで、図３及び図４を参照して、上記シンクフレーム及びシンクコードの概念を説明する。
【００４４】
図３は、上記２６シンクフレーム構造の物理セクタを示し、この中で、フレームの長さを示す数字はチャンネルビット長Ｔを、また「ＳＹ０」〜「ＳＹ７」はシンクコードを示している。シンクコードは上述のように、３２チャンネルビット長（３２Ｔ）からなっている。これらシンクコード「ＳＹ０」〜「ＳＹ７」は、一つには、復調時に１６チャンネルビットの境界を誤らないようにするための一定間隔の目印として機能している。
【００４５】
次に、図４を併せ参照して、シンクコードの記録パターン、並びに該シンクコードを検出する回路、そして、該検出したシンクコードに基づいて前記窓信号４ＴＷ及び１４ＴＷを生成する回路について説明する。
【００４６】
図４（ａ）は、上記シンクコード（「ＳＹ０」〜「ＳＹ７」）のいずれか１つ「ＳＹｎ」について、その構造を拡大してタイムチャートとして示したものである。図４（ａ）に示すように、シンクコードには、データ変調時に出現する最長パルス幅（１１チャンネルビット長）よりも十分に長い、１４チャンネルビット長（１４Ｔ）のパルスが埋め込まれている。そこで、上記シンクコード検出回路７０では、基本的にはこの１４Ｔをもとにシンクコード（識別コード）を検出する。このシンクコードは上述のように、一定間隔毎に設けられており、一旦、このシンクコードを検出すれば、以降は１４５６Ｔ毎に同シンクコードの検出が可能となる。そしてこのシンクコード検出回路７０では、こうしてシンクコードを検出する毎に、シンク検出信号ＳＹＳをタイミングカウンタ８０に対して出力する（図４（ｂ））。
【００４７】
また、同じく図１に示すタイミングカウンタ８０は、こうしてシンクコード検出回路７０から与えられるシンク検出信号ＳＹＳに基づき、図４（ｃ）及び（ｄ）に示す態様で前記４Ｔ振幅及び１４Ｔ振幅の窓信号４ＴＷ及び１４ＴＷを生成する部分である。これら窓
信号４ＴＷ及び１４ＴＷはそれぞれ、図４（ｃ）及び（ｄ）に示されるように、検出されたシンクコード（３２Ｔ）に基づいてそのチャンネルビット長しつつ、４Ｔチャンネルビット長（４Ｔ）部分及び１４Ｔチャンネルビット長（１４Ｔ）部分にそれぞれ対応して能動となる信号である。そして、これら生成された窓信号４ＴＷ及び１４ＴＷが前記振幅検出回路３０に送られ、前述したＲＦ信号（ＲＦ０）の振幅検出に供される。
【００４８】
なお、復調器６０から上記復調されたデータが入力されるデコーダ９０は、この復調処理されたデータに誤り訂正を施すなどしてこれをデコード処理する回路である。そして、光ディスクの再生に際し、この復調・デコード処理されたデータは、インターフェース（Ｉ／Ｆ）１００を介して外部のプロセッサーユニット（パーソナルコンピュータやプレーヤ等）に転送される。ちなみにこのインターフェースとしては、例えばＡＴＡＰＩ（ＡＴ
Ａｔｔａｃｈｍｅｎｔ  Ｐａｃｋｅｔ  Ｉｎｔｅｒｆａｃｅ）やＳＣＳＩ（Ｓｍａｌｌ
Ｃｏｍｐｕｔｅｒ  Ｓｙｓｔｅｍ  Ｉｎｔｅｒｆａｃｅ）などの規格に対応した回路が適宜採用可能である。
【００４９】
以下、上記構成を有するこの実施の形態にかかる光ディスクドライブ装置の変調度補正動作について、図５及び図６を併せ参照して更に詳述する。
【００５０】
この変調度の補正は、光ディスクＯＤの再生に伴って実行される。すなわち上述のように、ピックアップ１０によって読み取られ、電気信号に変換されたデータは、ＲＦアンプ２０によって増幅されてＲＦ信号（ＲＦ０）となった後、一方では振幅検出回路３０によって、上記シンクコードの４Ｔ部分及び１４Ｔ部分に対応する振幅が検出されてＤＳＰ４０に取り込まれる。
【００５１】
ＤＳＰ４０では、図５にその処理手順を示すように、まず、振幅検出回路３０にて検出された４Ｔピークホールド値と４Ｔボトムホールド値とから、「（４Ｔピークホールド値）−（４Ｔボトムホールド値）」として４Ｔ振幅を計算する（ステップＳ１）。次に、同じく、振幅検出回路３０にて検出された１４Ｔピークホールド値と１４Ｔボトムホールド値とから、「（１４Ｔピークホールド値）−（１４Ｔボトムホールド値）」として１４Ｔ振幅を計算する（ステップＳ２）。そして、これら４Ｔ振幅と１４Ｔ振幅とから「変調度（Ｉ３／Ｉ１４）＝α×４Ｔ振幅／１４Ｔ振幅」として、変調度を計算する（ステップＳ３）。
【００５２】
その後、変調度が規格の範囲内に収まっているか否かを判定する（ステップＳ４）。ここで、下限値はディスクの規格で決まっており、例えば「０．１５」である。上限値は規格では特に決められていないが、変調度すなわち「α×４Ｔ振幅／１４Ｔ振幅」の値が大きくなりすぎない程度に適宜決める必要がある。ここでは、上限値を例えば「０．８」〜「０．９」とする。
【００５３】
そして、上記ステップＳ４の条件判定において、変調度が下限値を下回ると判断されるとき、ＤＳＰ４０は前記タップ係数変更信号ＴＣを通じて、イコライザー５０の第１のタップ５１及び第５のタップ５５に設定されているタップ係数をより大きいタップ係数に変更する旨の指令を出す（ステップＳ５）。変調度が規定値の範囲内であれば、第１のタップ５１及び第５のタップ５５に設定されているタップ係数はそのままとする（ステップＳ６）。また、変調度が上限値を上回るとき、ＤＳＰ４０は同じく前記タップ係数変更信号ＴＣを通じて、第１のタップ５１及び第５のタップ５５に設定されているタップ係数をより小さいタップ係数に変更する旨の指令を出す（ステップＳ７）。
【００５４】
図６は、このようなタップ係数の変更に伴う、イコライザー５０による振幅補正態様についてその一例を示したものである。
【００５５】
イコライザー５０は上述のように、ＲＦアンプ２０からのＲＦ信号（ＲＦ０）を受ける
各タップ５１〜５５のうち、第１のタップ５１、第３のタップ５３、第５のタップ５５に対してはタップ係数が変更可能に設定されている。ここで例えば、図６（ａ）に示すように、ＤＳＰ４０からのタップ係数変更信号ＴＣをＴａｐ１については−１０ａ、Ｔａｐ２については１００ａ、Ｔａｐ３については−１０ａと設定すると（ａは任意の係数値）、加算器５９によって加算されるＲＦ信号の合成波形は、図６（ｂ）に示すように、その中心部分において振幅が持ち上がる。なお、図６（ｂ）は概略図であり、実際にはＴａｐ１、Ｔａｐ３の乗算部分においても振幅が若干持ち上がる。
【００５６】
このため、上記ステップＳ４の変調度の条件判定において変調度が下限値を下回るときには、上記タップ係数変更信号ＴＣを通じて、例えばＴａｐ１及びＴａｐ３のタップ係数を「−１１ａ」に変更する。これにより、上記ＲＦ信号（ＲＦ）としての振幅を持ち上げることができるようになる。また、同条件判定において変調度が上限値を上回るときには、同じくタップ係数変更信号ＴＣを通じて、例えばＴａｐ１、Ｔａｐ３のタップ係数を「−９ａ」に変更する。これにより、同ＲＦ信号（ＲＦ）としての振幅を下げることができるようになる。なお、具体的なタップ係数の変え方としては、Ｔａｐ１及びＴａｐ３のタップ係数の値を「１ａ」ずつインクリメント／デクリメントすることによって、振幅を緩やかに実時間補正することも可能となる。
【００５７】
いずれにしろ、ＲＦ信号に対し、このような前処理を施してこれを復調器６０に与えるようにすることで、光ディスクに記録されているデータをより高い品質のもとに再生することができるようになる。
【００５８】
以上詳述したように、この実施の形態にかかる光ディスクドライブ装置によれば、以下に列記するような多くの優れた効果が得られるようになる。
【００５９】
（１）ＤＶＤ規格の光ディスクＯＤの場合、その識別コードとして、３２チャンネルビット長（３２Ｔ）のシンクコードを利用することができる。そして、このシンクコードの中には、４チャンネルビット長（４Ｔ）部分及び１４チャンネルビット長（１４Ｔ）部分が含まれることから、ＲＦ信号のそれら部分に各々対応した振幅を検出して変調度の算出を行うようにしたことで、常に同一条件のもとに、その都度の変調度が得られるようになる。このため、イコライザー５０を介して振幅補正されるＲＦ信号の安定性も保証され、少なくともＤＶＤ規格の光ディスクＯＤについては、その再生品質も好適に維持されるようになる。
【００６０】
（２）変調度の算出において、４チャンネルビット長（４Ｔ）を３チャンネルビット長（３Ｔ）に換算する「１．０」未満の補正値を採用したことで、ＤＶＤ規格としてのより望ましい変調度を求めることができるようになる。またイコライザー５０を介して振幅補正されるＲＦ信号としても、同ＤＶＤ規格の光ディスクから抽出されるＲＦ信号として、より望ましい形態の信号とすることができるようになる。
【００６１】
（３）イコライザー５０は、ＲＦ信号を順次伝搬する５タップのイコライザーからなって、そのうちの第１のタップ５１、第３のタップ５３、及び第５のタップ５５に対してはタップ係数が変更可能に構成した。そして、それらタップ係数の変更可能なタップからの信号の和を実時間補正されたＲＦ信号として出力するようにした。これにより、イコライザー５０としての構成を簡素化することができる。とともに、イコライザー５０によるＲＦ信号の振幅補正処理も極めて簡便に行うことができるようになる。
【００６２】
（４）振幅検出回路３０は、各窓信号４ＴＷ及び１４ＴＷにて抽出されるＲＦ信号をそれぞれピークホールド及びボトムホールドする回路を備えることとした。これにより、ＲＦ信号の振幅検出をより容易に、且つ的確に行うことができるようになる。
【００６３】
（５）また、上記各窓信号４ＴＷ及び１４ＴＷについてはこれを、実際に復調されたデータから検出されるシンクコードに基づいて生成する。いわば閉ループ構造とした。これにより、上記識別コードとしてのシンクコードに対応するＲＦ信号をより的確に抽出することが可能となり、ひいては上記変調度の算出に際しても、その算出精度の向上が図られるようになる。
【００６４】
なお、この発明にかかる光ディスクドライブ装置は前記実施の形態に限定されるものではなく、同実施の形態を適宜変更した、例えば次のような形態として実施することもできる。
【００６５】
・タップ変数の変え方としては、タップ係数値のインクリメント／デクリメントに限らず、タップ係数変更用のテーブルを参照する方法、その都度のタップ係数に所定の演算を施してこれを求める方法なども適宜に採用することができる。またイコライザー５０の構成も図２に例示した構成には限定されず、そのタップ係数等も任意である。
【００６６】
・上記実施の形態では、変調度の下限値を例えば「０．１５」、上限値を「０．８」〜「０．９」としたが、これらの値は、再生対象とする光ディスクに応じて任意に変更可能である。
【００６７】
・上記実施の形態では、「変調度（Ｉ３／Ｉ１４）＝α×４Ｔ振幅／１４Ｔ振幅」として変調度を求めた。ただし、その都度（現在）算出される変調度の変化が急激に大きくなるような場合には、例えば、
変調度＝｛（４×過去の平均変調度）＋現在の変調度｝／５…（１）
などの求め方も適宜採用可能である。このような、変調度の求め方を採用することによって、現在の変調度がたとえ急激に変化するようなことがあっても、これを好適に徐変処理することができるようになる。なお、上記（１）式の分母（「５」の値）及び分子（「４」の値）を大きくすることによって、その徐変効果もより大きなものとなる。
【００６８】
・上記実施の形態では、前処理手段を構成する振幅検出回路３０、ＤＳＰ４０、イコライザー５０、シンクコード検出回路７０、及びタイミングカウンタ８０を、復調器６０を介した閉ループ構造とした。しかし、前記窓信号４ＴＷ及び１４ＴＷについてこれを独立して生成、出力可能なタイミング発生回路等が別途設けられる場合には、同前処理手段を、前記シンクコード検出回路７０やタイミングカウンタ８０を含まないオープンループ構造として構成することもできる。
【００６９】
・上記実施の形態では、ＤＶＤ＋Ｒ規格の光ディスクに書き込まれたデータを再生する装置について言及したが、再生対象とする光ディスクは、ＣＤ系、ＤＶＤ系に限らず任意である。特に近年は、Ｂｌｕ−ｌａｙ規格やＡＯＤ（Ａｄｖａｎｃｅｄ  Ｏｐｔｉｃａｌ
Ｄｉｓｃ）規格など、さらなる高密度化、大容量化を実現する規格の光ディスクも提案されているが、このような光ディスクについても、この発明の適用は可能である。
【図面の簡単な説明】
【００７０】
【図１】本発明にかかる光ディスクドライブ装置についてその一実施の形態を示すブロック図。
【図２】同実施の形態の装置のイコライザーの内部構成例を示すブロック図。
【図３】ＤＶＤ規格の光ディスクのデータフォーマット例を示すフォーマット図。
【図４】（ａ）はシンクコードの記録パターン、（ｂ）はシンク検出信号ＳＹＳ、（ｃ）は４Ｔ窓信号４ＴＷ、（ｄ）は１４Ｔ窓信号１４ＴＷをそれぞれ示すタイムチャート。
【図５】ＤＳＰによる処理手順を示すフローチャート。
【図６】イコライザーによる振幅補正態様について、（ａ）は振幅補正前、（ｂ）は振幅補正後のＲＦ信号を示すグラフ。
【符号の説明】
【００７１】
１０…ピックアップ、２０…ＲＦアンプ、３０…振幅検出回路、３１…４Ｔピークホールド回路、３２…４Ｔボトムホールド回路、３３…１４Ｔピークホールド回路、３４…１４Ｔボトムホールド回路、３５、３６、３７、３８…Ａ／Ｄ変換器、４０…ＤＳＰ、５０…イコライザー、５１、５２、５３、５４、５５…タップ、５９…加算器、６０…復調器、７０…シンクコード検出回路、８０…タイミングカウンタ、９０…デコーダ、１００…インターフェース（Ｉ／Ｆ）、ＯＤ…光ディスク。
【図１】
2005093014.tif 000003
【図２】
2005093014.tif 000004
【図３】
2005093014.tif 000005
【図４】
2005093014.tif 000006
【図５】
2005093014.tif 000007
【図６】
2005093014.tif 000008